(57)【要約】  【課題】小動物の体重等の身体指標を計りやすくした構造の小動物用身体指標計測装置を提供すること。  【解決手段】本発明にかかる小動物用身体指標計測装置においては、小動物の身体を保持する保持手段と、前記保持手段で保持された小動物の身体指標を計測する計測手段とを備えた。前記保持手段は、小動物の身体を挟持するように例えば籠状とし、前記身体指標は、体重、所定時間内の荷重の変動の特性値に基づいた健康指標、身長、体高、胸囲、生体インピーダンスの少なくとも何れかひとつの指標としてもよい。なお、前記計測手段では、所定時間内の荷重の変動を測定し、その変動の特性値は、所定時間内の荷重の平均値グラフと、荷重の変動グラフとに囲まれた領域の面積に対応した値としてもよい。【選択図】      図１
2006034193.tif 000002
【特許請求の範囲】
【請求項１】
小動物の身体を保持する保持手段と、
前記保持手段で保持された小動物の身体指標を計測する計測手段と、
を備えたことを特徴とする小動物用身体指標計測装置。
【請求項２】
前記保持手段は、小動物の身体を挟持するように構成したことを特徴とする請求項１に記載の小動物用身体指標計測装置。
【請求項３】
前記保持手段は、小動物の身体を囲う籠状としたことを特徴とする請求項１に記載の小動物用身体指標計測装置。
【請求項４】
前記身体指標は、体重、所定時間内の荷重の変動の特性値に基づいた健康指標、身長、体高、胸囲、生体インピーダンスの少なくとも何れかひとつの指標としたことを特徴とする請求項１〜３の何れか１項に記載の小動物用身体指標計測装置。
【請求項５】
計測した身体指標に基づいて、体格判定結果、体格判定指数、標準体重・標準体格のデータに基づいた標準摂取カロリー、前記体格判定指数に基づいた目標体重、前記目標体重にするための摂取カロリー・持続期間・消費カロリー・必要運動量、身体指標の変動グラフ、体脂肪率、筋肉量の少なくとも何れかひとつの指標を出力する出力手段を備えていることを特徴とする請求項１〜４の何れか１項に記載の小動物用身体指標計測装置。
【発明の詳細な説明】
【技術分野】
【０００１】
本発明は、ペット等の小動物の体重等の身体指標を計測する装置に関するものである。
【背景技術】
【０００２】
従来より、犬や猫等の小動物の体重を計測する場合には、前記小動物を人が抱えて体重計に一緒に乗って、小動物と人の合計の体重を計測し、その後、人の体重を計測して減算することによって、前記小動物の体重を求めることが行われている。
【発明の開示】
【発明が解決しようとする課題】
【０００３】
ところが、上述したような人が抱えて計るという計測方法では、体重計に２回乗らなければならないという手間や、人が抱きにくい小動物の場合には計測が困難であるという問題があった。
【０００４】
そこで、本発明は、小動物の体重等の身体指標を計りやすくした構造の小動物用身体指標計測装置を提供することを目的としてなされたものである。
【課題を解決するための手段】
【０００５】
本発明にかかる小動物用身体指標計測装置においては、
小動物の身体を保持する保持手段と、
前記保持手段で保持された小動物の身体指標を計測する計測手段と、
を備えた。
また、前記保持手段は、小動物の身体を挟持するように構成した。
また、前記保持手段は、小動物の身体を囲う籠状とした。
また、前記身体指標は、体重、所定時間内の荷重の変動の特性値に基づいた健康指標、身長、体高、胸囲、生体インピーダンスの少なくとも何れかひとつの指標としてもよい。
また、計測した身体指標に基づいて、体格判定結果、体格判定指数、標準体重・標準体格のデータに基づいた標準摂取カロリー、前記体格判定指数に基づいた目標体重、前記目標体重にするための摂取カロリー・持続期間・消費カロリー・必要運動量、身体指標の変動グラフ、体脂肪率、筋肉量の少なくとも何れかひとつの指標を出力する出力手段を備えてもよい。
なお、前記計測手段では、所定時間内の荷重の変動を測定し、その変動の特性値は、所定時間内の荷重の平均値グラフと、荷重の変動グラフとに囲まれた領域の面積に対応した値としてもよい。
また、前記計測手段にかかる荷重の所定時間内の変動を検出して出力する荷重センサを備え、この荷重センサで体重と、荷重の変動の何れも測定してもよい。
また、前記所定時間内の荷重の平均値グラフと、荷重の変動グラフとに囲まれた領域の面積に対応した値を特性値として出力する変動量演算手段を備えてもよい。
そして、前記変動量演算手段にて得られた前記特性値に基づいて、測定対象のペット等の健康指標を出力する出力手段を備えるとよい。
複数の荷重センサを備えて、荷重の変動を多次元の成分に分けて解析するとよい。
複数の荷重センサを、少なくとも２つに分離させてもよい。
【発明の効果】
【０００６】
本発明の小動物用身体指標計測装置によれば、小動物の身体を保持する保持手段を備えているので、人が抱えて一緒に体重を測定したりする必要がなく、小動物の体重等の身体指標を計りやすくなるという効果が得られる。
【発明を実施するための最良の形態】
【０００７】
以下に、本発明にかかる小動物用身体指標計測装置を、その実施の形態を示した図面に基づいて詳細に説明する。
図１に示した小動物用身体指標計測装置１Ａは、保持手段としては既存のケージ１Ｂを利用し、計測手段としての体重センサ部１Ｃと、出力手段としての表示部１Ｄとを分離式に構成したものである。前記ケージ１Ｂを、前記体重センサ部１Ｃに載せて小動物の体重をケージと共に計測し、既知のケージの重量を減算する。
前記体重センサ部１Ｃは、複数のユニットに分割されており、各ユニットに内蔵された体重センサで得られる体重情報を加算処理して、ケージの重量を減算して小動物の体重を得る。各ユニット間は信号を伝達して集合させるためのケーブルで接続されている。何れか１つのユニットに表示部１Ｄが付設されている。
以下においては、身体指標のうちの体重を測定する機能を中心に説明する。
【０００８】
図２の（ａ）に示した小動物用身体指標計測装置21Ａは、胴を両側から挟んで保持する１対の板状の開閉式の保持手段21Ｂを備え、前記保持手段21Ｂの下に計測手段としての体重センサ部21Ｃと、出力手段としての表示部21Ｄとを備えている。ここでは、保持手段21Ｂの重量を減算して小動物の体重を得る。前記保持手段21Ｂは開いた状態で小動物を乗せ、閉じて小動物の胴を保持て測定するので、精度よく測定できる。
図２の（ｂ）に示した小動物用身体指標計測装置22Ａは、胴を下から支えるとともに胴を両側から挟んで保持する１対の開閉式の保持手段22Ｂを備え、前記保持手段22Ｂの下に計測手段としての体重センサ部22Ｃと、出力手段としての表示部22Ｄとを備えている。ここでは、保持手段22Ｂの重量を減算して小動物の体重を得る。前記保持手段22Ｂは開いた状態で小動物を乗せ、閉じて小動物の胴を保持し、さらに、上昇することによって小動物の足を体重センサ部22Ｃの表面から浮かして測定するので、精度よく測定できる。
【０００９】
図３に示した小動物用身体指標計測装置３Ａは、保持手段としてはケージ３Ｂを備え、計測手段としての体重センサ部３Ｃと、出力手段としての表示部３Ｄとが一体になった計測部を、前記ケージの床面に差し込んで計測するように構成したものである。
前記ケージ３Ｂの床は無く、前記体重センサ部３Ｃを差し込むと、ケージ３Ｂの中の小動物は、体重センサ部３Ｃの表面に乗ることになるので安定して測定できる。
【００１０】
図４に示した小動物用身体指標計測装置４Ａは、保持手段としてはロール式の風呂蓋状のロール式載置部４Ｂを備え、計測手段としての体重センサ部４Ｃと、出力手段としての表示部４Ｄを一体化して構成したものである。
使用するときはロール式載置部４Ｂを展開して小動物を乗せて測定し、使用しないときにはロール式載置部４Ｂを巻いて保管するので、保管スペースを小さくできる。
【００１１】
図５に示した小動物用身体指標計測装置５Ａは、保持手段としては前足載置部５１Ｂと後足載置部５２Ｂとをスライド伸縮可能に連結し、前記載置部のそれぞれに計測手段としての体重センサ部５１Ｃ、５２Ｃを備え、出力手段としての表示部５Ｄは何れか一方の載置部に備えたものである。
この場合、脚の位置の異なる小動物に応じて調節することができる。
【００１２】
図６に示した小動物用身体指標計測装置６Ａは、保持手段としてはペット用の靴６１Ｂ、６２Ｂ、６３Ｂ、６４Ｂを利用し、前記各靴に計測手段としての体重センサ部６１Ｃを内蔵し、出力手段としての表示部６Ｄは分離し別途設け、各体重センサからの信号をワイヤレスで受信し、合計処理等の演算をして、体重として表示するように構成した。
この場合、運動中や歩行中でも体重を測定することができる。また、各脚の荷重の変化やバランスを測定することもできる。
【００１３】
図７に示した小動物用身体指標計測装置７Ａは、保持手段としては上下方向に伸縮自在な前足載置部７１Ｂと後足載置部７２Ｂとを備え、前記後足載置部７２Ｂに計測手段としての体重センサ部７１Ｃと出力手段としての表示部７Ｄを備えたものである。前記体重センサ部７１Ｃでは前足載置部７１Ｂに架かる荷重も計測して後足載置部に架かる荷重との合計を、前記表示部７Ｄで表示するものである。前足載置部７１Ｂの重量等を減算する等することは当然である。この場合には、大型の犬でも狭い床面積で測定できる。なお、この小動物用身体指標計測装置７Ａは人間の体重も計測できる。
【００１４】
図８に示した小動物用身体指標計測装置８Ａは、保持手段としてはバスケット状の保持手段８Ｂを備え、この保持手段８Ｂを人の肩から吊り下げて小動物を中に入れて計測する。前記保持手段８Ｂの底面に計測手段としての体重センサ部８Ｃを備え、出力手段としての表示部５Ｄは前記保持手段の側面は縁に備えたものである。
【００１５】
図９に示した小動物用身体指標計測装置９Ａは、保持手段としては、小動物の胴部に回して吊り下げるハンモック式の保持手段９Ｂを支柱から吊り下げたものとし、前記保持手段９Ｂを胴部に回した後に、載置面９１Ｂを降下させて小動物の足を浮かせて吊り下げて、前記支柱に架かる荷重を計測する計測手段としての体重センサ部９Ｃを備え、出力手段としての表示部９Ｄは前記保持部９Ｄに備えたものである。前記保持手段９Ｂを上昇させて層動物の足を浮かせてもよい。
【００１６】
図１０に示した小動物用身体指標計測装置１０Ａは、保持手段としてはペット用の室内トイレ１０Ｂとし、前記室内トイレ１０Ｂに計測手段としての体重センサ部１０Ｃを備え、出力手段としての表示部１０Ｄは前記室内トイレ１０Ｂに備えたものである。
この場合には、小動物が落ち着くので、安定して精度良い測定が可能となる。また、排泄物の重量を測定して健康管理することもできる。
【００１７】
図１１に示した小動物用身体指標計測装置５Ａは、保持手段としてはペット用の室内マット１１Ｂとし、前記室内マットの下の台に計測手段としての体重センサ部１１Ｃを備え、出力手段としての表示部１１Ｄは前記台に備えたものである。前記室内マット１１Ｂには保温材もしくは保冷材を収納し、快適に計測できるようにするとよい。  この場合には、小動物が落ち着くので、安定して精度良い測定が可能となる。
【００１８】
なお、図１〜図１１に例示した小動物用身体指標計測装置においては、体重だけでなく、体重センサ部にかかる荷重の変動を検出し、所定時間内における前記荷重の変動の特性値を演算し、前記演算した特性値に基づいて、測定対象のペット等の健康指標を測定してもよい。
また、ペット等の小動物の生体インピーダンス、身長、体高、胸囲等の身体指標を計測する機能を具備すると良い。
そのために、以下のような構成を備えるとよい。
例えば、生体インピーダンスを測定するための電極を配置すると良い。
そのような電極は、耳、鼻、口及び口腔内、足及び肉球、腹部、肛門等の測定部位にセットする。
また、例えば、デジタルカメラ等の撮像手段を備えて、得られた画像から身長、体高、胸囲等の身体指標を計測してもよい。
【００１９】
さらに、以上のようにして計測した体重、荷重の変動、生体インピーダンス、身長、体高、胸囲等の身体指標に基づいて、体格判定結果、体格判定指数、標準体重・標準体格のデータに基づいた標準摂取カロリー、前記体格判定指数に基づいた目標体重、前記目標体重にするための摂取カロリー・持続期間・消費カロリー・必要運動量、身体指標の変動グラフ、体脂肪率、筋肉量等の指標を演算して出力するようにしてもよい。
【００２０】
なお、図１２は前記小動物用身体指標計測装置の構成図であり、図中、１２０は踏台部、１２１は荷重伝達部、１３０はセンサー部、１３１は体重信号入力回路、１４０は制御部、１５０は出力部、１６０はスイッチ群、１７０は電源部である。
前記制御部１４０は、ＣＰＵ１４１、Ａ／Ｄ変換回路１４２、及びメモリー１４３を備えている。そして、前記体重信号入力回路１３１から出力される体重信号は、前記Ａ／Ｄ変換回路１４２によってデジタル信号に変換されて、前記ＣＰＵ１４１に入力される。
【００２１】
前記電源部１７０は、電池１７１、電源回路１７２、回路電源制御部１７３、及び表示部電源制御部１７４を備えている。前記電源回路１７２は、前記電池１７１から供給される電力を回路電源制御部１７３を介して前記スイッチ群１６０へ供給し、表示部電源制御部１７４を介して前記出力部１５０へ供給する。
前記出力部１５０は液晶表示ユニット１５１とブザー１５２を含んでいる。
【００２２】
以上の構成の小動物用身体指標計測装置のメモリ１４３には、所定の制御プログラムが書き込まれており、前記ＣＰＵは前記プログラムを実行することによって、種々の健康指標を測定して表示するように構成されている。
【００２３】
また、荷重の変動に基づいて健康指標を出力するように構成するとよい。
（１）進行制御機能
（２）入力制御機能
（３）重量・面積計測機能
（４）相関機能
（５）表示制御機能
（６）ブザー制御機能
【００２４】
（１）前記進行制御機能は、上記各機能を順次制御して、健康指標を測定して表示するように制御する機能である。
前記進行制御機能では、図１３に示したように、ステップＳ１で測定をスタートして、ステップＳ２で荷重の測定を開始し入、ステップＳ３で荷重の安定したことを確認し、ステップＳ４で荷重値のサンプリングを開始する。ステップＳ５ではＮ秒後に前記サンプリングを終了する。ステップＳ６では、前記サンプリングした荷重値の平均値を算出する。ステップＳ７では、サンプリングした荷重値と前記平均値とを比較演算して、荷重の変動の面積を計測する。ステップＳ８では、計測結果に基づいて所定の相関特性を参照して健康年齢等の健康指標を出力し、ステップＳ９では、出力された健康指標を表示出力するのである。
【００２５】
（２）前記入力制御機能は、測定スタート後に、測定対象のペットの種類、性別、年齢等のデータの入力を促して、その入力を受け付ける機能である。この入力が終わった後、荷重の測定を開始する。同時にブザー制御機能によって所定の音で合図を出す。
（３）重量・面積計測機能は、荷重の測定を開始して、荷重の変化が落ち着いたときから所定の測定時間の間の荷重をサンプリングして一旦メモリに保存する。そして、荷重の平均値を算出する。その後、図１４に示したように、前記平均値もしくはほぼ中央値を所定の基準値として、その基準値との差を各サンプル値毎に計測して、全サンプルの合計を積算して、荷重の変動と所定の基準値とで囲まれる部分の面積に相当する値を算出して特性値として出力するものである。また、前記荷重の平均値を重量（体重）として出力する。
（４）相関機能は、前記面積計測機能によって計測された特性値を、種類、性別、年齢等に応じて予め設定された相関関数に当てはめて、健康年齢値を出力する。前記相関関数は、関数形式に限定されるものではなく、判定基準テーブル等の形態をとる場合もある。
（５）前記表示制御機能は、前記相関機能によって得られた健康指標値を、数値表示するか、数値に対応した長さのバーとしてレベル表示するか、その他のグラフィック表示するかに応じて、適した制御を行う。
（６）前記ブザー制御機能は、種々の操作を促す音を発したり、測定の進行タイミングを指示する音を発したり、操作エラーに応じた音を発したりする。
【００２６】
このようにして、測定対象のペットの健康指標を測定して表示するのである。
従って、転倒する危険性のある閉眼片足立ち時間の測定をしなくても、家庭の重量計と同様の装置を使用して、手軽に健康指標を測定することが可能である。
本願の上記機能は、必要とするハードウエアは、従来の電子式重量計どほぼ同じであり、異なるのは、上記制御を行うプログラムを組み込むことだけである。
【図面の簡単な説明】
【００２７】
【図１】本発明にかかる小動物用身体指標計測装置の実施例１の構成を示した構成図である。
【図２】本発明にかかる小動物用身体指標計測装置の実施例２の構成を示した構成図である。
【図３】本発明にかかる小動物用身体指標計測装置の実施例３の構成を示した構成図である。
【図４】本発明にかかる小動物用身体指標計測装置の実施例４の構成を示した構成図である。
【図５】本発明にかかる小動物用身体指標計測装置の実施例５の構成を示した構成図である。
【図６】本発明にかかる小動物用身体指標計測装置の実施例６の構成を示した構成図である。
【図７】本発明にかかる小動物用身体指標計測装置の実施例７の構成を示した構成図である。
【図８】本発明にかかる小動物用身体指標計測装置の実施例８の構成を示した構成図である。
【図９】本発明にかかる小動物用身体指標計測装置の実施例９の構成を示した構成図である。
【図１０】本発明にかかる小動物用身体指標計測装置の実施例１０の構成を示した構成図である。
【図１１】本発明にかかる小動物用身体指標計測装置の実施例１１の構成を示した構成図である。
【図１２】本発明にかかる小動物用身体指標計測装置の回路構成図である。
【図１３】本発明にかかる小動物用身体指標計測装置で荷重の変動を測定して健康指標を出力する場合のフローチャートである。
【図１４】本発明における荷重の変動と面積の測定を説明するグラフである。
【符号の説明】
【００２８】
１Ａ  小動物用身体指標計測装置
１Ｂ  保持手段、ケージ
１Ｃ  計測手段、体重センサ部
１Ｄ  出力手段、表示部
【図１】
2006034193.tif 000003
【図２】
2006034193.tif 000004
【図３】
2006034193.tif 000005
【図４】
2006034193.tif 000006
【図５】
2006034193.tif 000007
【図６】
2006034193.tif 000008
【図７】
2006034193.tif 000009
【図８】
2006034193.tif 000010
【図９】
2006034193.tif 000011
【図１０】
2006034193.tif 000012
【図１１】
2006034193.tif 000013
【図１２】
2006034193.tif 000014
【図１３】
2006034193.tif 000015
【図１４】
2006034193.tif 000016